(57)【特許請求の範囲】
【請求項１】
共有チャネルを用いてデータの送受信を行う移動通信システムにおける基地局装置であって、
カバーするエリアに在圏する移動局装置のうち、受信が可能である期間とそうでない期間とが所定の周期で繰り返される間欠受信状態及び／又は送信が可能である期間とそうでない期間とが所定の周期で繰り返される間欠送信状態に遷移している移動局装置に対して、該移動局装置からの応答を要求する確認信号を生成する確認信号生成手段と、
前記間欠受信状態及び／又は間欠送信状態に遷移してから該間欠受信状態及び／又は間欠送信状態における前記所定の周期を超える時間が経過した移動局装置に対して、前記確認信号を送信するように制御する確認信号送信制御手段と
を有することを特徴とする基地局装置。
【請求項２】
請求項１に記載の基地局装置において、
前記確認信号を送信した移動局装置から、該確認信号に対する応答信号を受信できない場合に、当該移動局装置に対して割り当てているリソースを解放するリソース管理手段
を有することを特徴とする基地局装置。
【請求項３】
請求項１又は２に記載の基地局装置において、
前記確認信号送信制御手段は、前記確認信号を送信する周期を、移動局装置毎に決定することを特徴とする基地局装置。
【請求項４】
請求項１ないし３のいずれか１項に記載の基地局装置において、
前記間欠受信状態及び／又は間欠送信状態に遷移している移動局装置から送信された報告信号に対する応答信号を生成する応答信号生成手段と、
カバーするエリアに在圏する移動局装置のうち、前記間欠受信状態及び／又は間欠送信状態に遷移している移動局装置から送信された報告信号を受信した場合に、前記応答信号を送信するように制御する応答信号送信制御手段と
を有することを特徴とする基地局装置。
【請求項５】
請求項４に記載の基地局装置において、
前記間欠受信状態及び／又は間欠送信状態に遷移している移動局装置に前記報告信号を送信させる周期を決定する報告信号送信周期決定手段
を有し、
前記間欠受信状態及び／又は間欠送信状態に遷移している移動局装置に対して、前記周期を送信することを特徴とする基地局装置。
【請求項６】
共有チャネルを用いてデータの送受信を行う移動通信システムであって、
カバーするエリアに在圏する移動局装置のうち、受信が可能である期間とそうでない期間とが所定の周期で繰り返される間欠受信状態及び／又は送信が可能である期間とそうでない期間とが所定の周期で繰り返される間欠送信状態に遷移している移動局装置に対して、該移動局装置からの応答を要求する確認信号を生成する確認信号生成手段と、
前記間欠受信状態及び／又は間欠送信状態に遷移してから該間欠受信状態及び／又は間欠送信状態における前記所定の周期を超える時間が経過した移動局装置に対して、前記確認信号を送信するように制御する確認信号送信制御手段と
を有することを特徴とする移動通信システム。
【請求項７】
請求項６に記載の移動通信システムにおいて、
移動局装置は、
前記間欠受信状態及び／又は間欠送信状態に遷移し、
基地局装置に送信する報告信号を生成する報告信号生成手段と、
前記報告信号を送信する周期に従って、前記間欠受信状態及び／又は間欠送信状態に遷移する直前に呼確立が行われた基地局装置に、前記報告信号を送信するように制御する報告信号送信制御手段と
を有し、
前記基地局装置は、
前記間欠受信状態及び／又は間欠送信状態に遷移している移動局装置から送信された報告信号に対する応答信号を生成する応答信号生成手段と、
カバーするエリアに在圏する移動局装置のうち、間欠受信状態及び／又は間欠送信状態に遷移している移動局装置から送信された報告信号を受信した場合に、前記応答信号を送信するように制御する応答信号送信制御手段と
を有する
ことを特徴とする移動通信システム。
【発明の詳細な説明】
【技術分野】
【０００１】
本発明は、パケット交換型サービスを実現する移動通信システムに関し、特にデータ送受信の必要に応じて、受信機及び／又は送信機のオン／オフ制御を実行することにより間欠受信及び／又は間欠送信を行う移動通信システムにおける基地局装置、移動局装置及び移動通信システムに関する。
【背景技術】
【０００２】
現在仕様開発中の次世代の移動通信システムにおいては、移動局装置とネットワーク装置との間で多種多様な通信サービスを提供することがその目的の一つとなっている。リアルタイム性の強いサービス、例えば音声サービス／テレビ電話サービス等においては、そのサービスの性質により、定期的にデータの送受信が必要である。その反面、ノンリアルタイム通信として区分けされるサービスにおいては、データ送受信の連続性は必要ではない。このノンリアルタイム通信には、インターネットアクセスサービスが含まれる。ノンリアルタイム通信では、必要に応じてデータ送受信が実施される。ノンリアルタイム通信では、データの送受信が必要でない場合には、送信部及び／又は受信部がオフに制御される。ノンリアルタイム通信には、例えばウェブ閲覧などが含まれる。ノンリアルタイム通信では、このようにすることにより、移動局装置等における消費電力の軽減を図ることができる。移動局装置は、ユーザ装置(UE:  User  Equipment)と呼ばれてもよい。
【０００３】
上述した次世代の移動通信システムの候補の一つとしては、LTE(Long  Term  Evolution)が挙げられる。このLTEシステムにおいても、データ受信及び／又は送信の必要に応じて、移動局装置及び基地局装置共に間欠受信制御(DRX:  Discontinuous  Reception)及び／又は間欠送信制御(DTX:  Discontinuous  Transmission)が実施される方向で仕様開発が進んでいる。
【非特許文献１】3GPP  36.300
【非特許文献２】3GPP  36.311
【非特許文献３】3GPP  36.321
【発明の開示】
【発明が解決しようとする課題】
【０００４】
しかし、上述した背景技術には以下に示すような問題点がある。
【０００５】
次世代の移動通信システムにおいては、W-CDMA(Wideband  CDMA(Code  Division  Multiple  Access))などの既存システムで採用されている個別チャネルリソース割当ての論理は踏襲されない。次世代の移動通信システムでは、共有チャネル（シェアードチャネル）(shared  Channel)の割当てを前提として仕様開発が進んでいる。共有チャネルでは、ユーザ間で無線チャネルが共有して利用される。このようにすることにより、有限資源である無線リソースを有効に活用できる。
【０００６】
共有チャネルの割り当てについて、図１を参照して説明する。
【０００７】
ここでは、一例として直交波周波数分割多元アクセス(OFDMA:  Orthogonal  Frequency  Division  Multiplexing  Access)方式について説明する。このOFDMA方式のような共有チャネル割り当て論理の場合、ユーザに対する無線リソース割り当ては、常時保証されるわけではない。このため、必要時に欲しいリソースの割り当てが受けられない場合が生じる。例えば、無線リソースには、周波数軸及び時間軸により指定されるリソースブロックが含まれる。例えば、基地局装置は、移動局装置毎に共有チャネルを割り当てるか否かの判断を実施する。この場合、基地局装置は、ユーザデータが存在しない場合には、該移動局装置に対してリソース割り当てを停止する状態とすることができる。このリソース割り当てを停止する状態は、間欠受信(DRX:  Discontinuous  Reception)状態と呼ばれる。
【０００８】
DRX状態に推移した移動局装置は、データ送信が必要となった場合には、ユーザデータ送信依頼（リソース割り当て要求）を送信する。このようにすることにより、共有チャネルの割当て（リソース割り当て）を要求することができる。その結果、移動局装置は通信を再開することが可能となる。
【０００９】
しかし、移動局装置がDRX状態のままエリア移動などが原因で、エリア外に移動した場合には、基地局装置側では該移動局装置がDRX状態で信号を送信していないのか、何か別の要因で信号を送信していないのかを判定できない。例えば、DRX状態の移動局装置が信号を送信していない要因を判定できない場合には、列車移動中に突然トンネルに侵入した場合、電池が切れた場合、水没した場合などが含まれる。
【００１０】
基地局装置と移動局装置との間で呼確立が行われる場合には、基地局装置は、移動局装置との接続に必要な各種情報を記憶する。基地局装置は、この各種情報を通信が終了するまで保持する。該当移動局装置が信号を送信していない要因を判定できない場合には、該移動局が担当エリア内に在圏しない状況となっている状態であっても、該当する移動局装置に関する各種情報が蓄えられたままとなる。この状態は、不必要な情報が基地局内装置に保存され続けることになるため、システム運用上好ましくない。従って、このような状況の場合には、無駄な情報を開放させる必要がある。
【００１１】
DRX制御について、図２を参照して説明する。
【００１２】
移動局装置からの発信を受けることにより、ネットワーク側と移動局装置とは回線確立を行う。具体的には、基地局装置と移動局装置との間で回線確立が行われる。ネットワーク側は確立された回線に対して、送信データが存在しない場合には、該移動局装置をDRX状態にすることができる。DRX状態において、送信データを送信できない状態はスリープ(Sleep)状態、送信データを送信できる状態はウエイクアップ(Wake-up)状態と呼ばれる。ウエイクアップ状態では、送信データがある場合には、該送信データを送信することができる。ここで、確立された回線において、割り当てられるリソースは定位置（同じリソースブロック）ではなく、スケジューリング論理に伴う割り当てとなる。例えば、１サブフレーム毎に異なる場合もある。また、ネットワーク側から、移動局装置が着信を受けることにより、ネットワーク側と移動局装置とは回線確立を行う場合も同様である。
【００１３】
また、3GPP上においてもDRXが定義されている（例えば、非特許文献１参照）。
【００１４】
このDRX  Sleep状態の移動局装置が突然圏外などとなった場合に、基地局装置では、該移動局装置の存在を知る術が無い。
【００１５】
また、移動局装置が信号を送信していない場合に、基地局装置側で、該移動局装置の存在を知ることができない状況は、既存の３Ｇと呼ばれる移動通信システム（以下、３Ｇシステムと呼ぶ）などでは発生せず、次世代の移動通信システムにて顕在化するものである。この３Ｇシステムには、例えばW-CDMAが適用される移動通信システムが含まれる。
【００１６】
既存の3GシステムでのDRX状態における同期状態を判定する手法に関して、図３を参照して説明する。 
図３には、３Ｇシステムにおける上りリンク(UP  Link)個別物理チャネル(DPCH:  dedicated  physical  channel)が示される。この個別物理チャネルには、個別物理データチャネル(DPDCH:  dedicated  physical  Data  channel)と個別物理制御チャネル(DPCCH:  dedicated  physical  control  channel)とが含まれる。これらのDPDCH及びDPCCHは、それぞれ上りリンクのI/Qフレームにマッピングされて送信されることが仕様に規定されている。しかし、ユーザデータの有無に応じてDRX制御が実施されるのは、DPDCH側(Iフレーム)である。従って、移動局装置は、DRX状態である場合でも、DPCCHは常時送信している。このDPCCHには上りリンクの同期監視対象信号が定義されている。このため、例えば、ユーザデータの有無に基づいて、移動局装置がDRX状態となっても、基地局装置においては、移動局装置がDRX状態であるか否かに関係なく、移動局装置の上りリンクの無線状態を監視することが可能である。また、例えば、DRX周期が定義される場合もある。DRX周期には、図４に示すように、受信（送信）可能である期間及び受信（送信）不可である期間が含まれる。移動局装置は、DRX制御中における送信可能である時間(On  Duration)において、PDCCHをモニターすることができる。DTX制御中でも同様である。
【００１７】
しかし、次世代の移動通信システムなどで採用されている共有チャネル方式等を採用している移動通信システム、例えばLTEが適用される移動通信システムなどにおいては、その無線リソース割当方式などの特質から、DRX状態と呼ばれる名称が使用されていても、その判定方式は大きく異なる。例えば、LTEが適用される移動通信システムでは、下りリンクについては直交周波数分割多重(OFDM:  Orthogonal  Frequency  Division  multiplexing)、上りリンクについてはシングルキャリア−周波数分割多元接続(SC-FDMA:  Single-Carrier  Frequency  Division  Multiple  Access)が適用される。
【００１８】
LTEが適用される移動通信システムにおける無線アクセス方式に採用されているSC-FDMAにおける上りリンクのリソースブロック(RB:  Resource  Block)構成を、図５に示す（例えば、非特許文献２参照）。
【００１９】
図５に示すように、１個のSC-FDMAシンボルと１個のサブキャリアにより示される無線リソースは、リソースエレメントと呼ばれる。上りリンクのリソースブロックの情報要素は、１又は複数のSC-FDMAシンボル（図５では、ＮＵＬｓｙｍｂにより示される）及び１又は複数のサブキャリア（図５では、ＮＲＢｓｃにより示される）で表現される。言い換えれば、リソースブロックは、複数のリソースエレメントを含む。ＮＲＢｓｃは、リソースブロック間の信号干渉を抑制するためのガードビット(Cyclic  Prefix)、適用されるフレームタイプ及びサービスに応じて適用数が異なる。ＮＵＬｓｙｍｂは、ユーザデータを表現するためのビットである。このビットの集合体で、ユーザデータが送信される。
【００２０】
LTE方式が適用される移動通信システムが含まれる共有チャネル方式が適用される移動通信システムにおいては、ユーザデータがオフ、言い換えれば送信データが無い状態となると、リソースブロックの全ての送信がオフとなる。このため、基地局装置は上りリンクの信号を全く検出できない。
【００２１】
基地局装置は、移動局装置の上りリンクの共有チャネルがDRX状態であるか否かを識別することはできる。例えば、基地局装置は、MAC(Medium  Access  Control)  PDU(Protocol  Data  Unit)を送信する。このMAC  PDUには、図６に示すように、LCID識別子が含まれる。LCID識別子には、図７に示すように、DRXを含めることができる。このMAC  PDUにより、移動局装置をDRX状態に遷移させることができる。しかし、DRX状態である移動局装置がスケルチ断となった場合には、基地局装置は、該当移動局装置がDRX状態でデータ送信がオフである状態なのか、それとも圏外に移動したことなどによりデータ送信がオフである状態なのかを識別することができない。すなわち、該当移動局装置が、基地局装置のカバーするエリアに不在であるか否かの識別をすることができない。基地局装置のカバーするエリアに不在である場合には、該移動局装置のリソースは解放してもよい。この識別不能状態により、基地局装置は、該当移動局装置向けに獲得している移動局装置のコンテキスト（各種情報）などを確保し続ける必要がある。このコンテキストにはリソース情報が含まれる。このため、不要なメモリバッファの搭載が必要となる懸念が生じるなど、装置設計から考慮しても好ましくない。
【００２２】
そこで、本基地局装置、移動局装置及び移動通信システムは、上述した問題点の少なくとも１つを解決するためになされたものであり、その目的は、間欠受信状態及び／又は間欠送信状態である移動局装置の状態を把握することができる基地局装置、移動局装置及び移動通信システムを提供することにある。
【００２３】
また、本基地局装置、移動局装置及び移動通信システムの他の目的は、間欠受信状態及び／又は間欠送信状態のまま圏外に移動した移動局装置の無線リソースを開放することができる基地局装置、移動局装置及び移動通信システムを提供することにある。
【課題を解決するための手段】
【００２４】
上記課題を解決するため、この基地局装置は、
共有チャネルを用いてデータの送受信を行う移動通信システムにおける基地局装置であって、
カバーするエリアに在圏する移動局装置のうち、受信が可能である期間とそうでない期間とが所定の周期で繰り返される間欠受信状態及び／又は送信が可能である期間とそうでない期間とが所定の周期で繰り返される間欠送信状態に遷移している移動局装置に対して、該移動局装置からの応答を要求する確認信号を生成する確認信号生成手段と、
前記間欠受信状態及び／又は間欠送信状態に遷移してから該間欠受信状態及び／又は間欠送信状態における前記所定の周期を超える時間が経過した移動局装置に対して、前記確認信号を送信するように制御する確認信号送信制御手段と
を有する。
【発明の効果】
【００２９】
開示の基地局装置、移動局装置及び移動通信システムによれば、間欠受信状態及び／又は間欠送信状態である移動局装置の状態を把握することができる効果を奏する。
【００３０】
また、開示の基地局装置、移動局装置及び移動通信システムによれば、間欠受信状態及び／又は間欠送信状態のまま圏外に移動した移動局装置の無線リソースを開放することができる効果を奏する。
【発明を実施するための最良の形態】
【００３１】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
（第１の実施例）
実施例の一つに係る基地局装置及び移動局装置が適用される移動通信システムの一例について、図８を参照して説明する。
【００３２】
本実施例に係る移動通信システムは、共有チャネル(shared  channel)を用いてユーザデータを送信する。また、共通チャネル(common  channel)を用いてユーザデータを送信する移動通信システムであってもよい。また、共有チャネル及び共通チャネルを用いてユーザデータを送信する移動通信システムであってもよい。本実施例に係る移動通信システムでは、移動局装置は、パワーセービングのため間欠受信(DRX:  Discontinuous  Reception)状態に遷移することができる。移動局装置は、間欠送信(DTX:  Discontinuous  transmission)状態に遷移するようにしてもよい。このような特徴を有する移動通信システムとして、LTE(Long  Term  Evolution)が適用される移動通信システムが挙げられる。そこで、本実施例では、一例として、LTEが適用される移動通信システムについて説明するが、上述した特徴を有する移動通信システムであれば、LTEが適用される移動通信システム以外にも適用可能である。例えば、WiMAX(Worldwide  Interoperability  for  Microwave  Access)に適用するようにしてもよいし、無線LAN(WLAN:  Wireless  LAN)に適用するようにしてもよい。このLTEが適用される移動通信システムは、上述したようにEvolved  UTRA  and  UTRANと呼ばれてもよい。
【００３３】
移動通信システムは、移動局装置(UE:  User  Equipment)１００を有する。また、移動通信システムは、基地局装置(eNB:  eNode  B)２００（２００１、２００２、２００３）を有する。基地局装置２００の上位にはMME(Mobility  Management  Entity)／S-GW(Serving-Gateway)３００（３００１、３００２）が設置される。
【００３４】
図８において、S1は、基地局装置２００とMME/S-GW３００との間のインターフェースである。また、X2は、基地局装置２００間のインターフェースである。
【００３５】
基地局装置２００は、呼制御、無線制御を行う。また、基地局装置は、RRC(radio  resource  control)の機能を有する。基地局装置には、S1-AP(Application)、X2-APが含まれる。
【００３６】
MME／S-GW３００は、NAS(Non-Access  Stratum)を終端し、アイドル状態である移動局装置の管理、SAE(System  Architecture  Evolution)ベアラリソースの管理を行う。
【００３７】
移動通信システムは、無線アクセス方式として、下りリンクについてはOFDM、上りリンクについてはSC-FDMAが適用される。OFDMは、周波数帯域を複数の狭い周波数帯域（サブキャリア）に分割し、各周波数帯上にデータを載せて伝送を行う方式である。SC-FDMAは、周波数帯域を分割し、複数の端末間で異なる周波数帯域を用いて伝送することで、端末間の干渉を低減することができる伝送方式である。
【００３８】
この実施例に係る移動局装置１００について、図９を参照して説明する。
【００３９】
本実施例に係る移動局装置１００は、RF(Radio  frequency)部１０２を有する。RF部１０２は、アンテナにより受信された信号をベースバンド信号に変換し、後述するベースバンド(Baseband)部１１６に入力する。また、RF部１０２はベースバンド部１１６により入力された中間周波数のIF信号をRF信号にアップコンバートし、増幅し、送信する。
【００４０】
RF部１０２について、具体的に説明する。
【００４１】
RF部１０２は、送受共用部(Duplexer)１０４を有する。送受共用部１０４は、後述するパワーアンプ(Power  Amplifier)１１４により入力された信号をアンテナから送信する。また、送受共用部１０４は、アンテナからの信号を後述する受信部１０６に入力する。
【００４２】
RF部１０２は、受信部１０６を有する。受信部１０６は、送受共用部１０４により入力された信号の受信処理を行う。RF部１０２は、フロントエンド部１０８を有する。フロントエンド部１０８は、受信部１０６により入力された信号をデジタル信号に変換する。また、フロントエンド部１０８は、ベースバンド部１１６により入力された信号をアナログ信号に変換する。RF部１０２は、送信部１１０を有する。送信部１１０は、フロントエンド部１０８により入力された中間周波数の信号を、ベースバンド部１１６により指定された無線周波数までアップコンバージョンする。RF部１０２は、周波数シンセサイザー１１２を有する。周波数シンセサイザー１１２は、発振することにより、送信部１１０において行われるアップコンバージョンする周波数を生成する。RF部１０２は、パワーアンプ１１４を有する。パワーアンプ１１４は、ベースバンド部１１６による制御により送信部１１０により入力された信号を増幅する。
【００４３】
本実施例に係る移動局装置１００は、ベースバンド部１１６を有する。ベースバンド部１１６は、ＲＦ部１０２により入力されたデジタル信号を音声信号に変換し、後述するスピーカ・マイク１３０に出力する。また、ベースバンド部１１６は、スピーカ・マイク１３０により入力された音声信号をデジタルデータに変換し、ＲＦ部１０２に入力する。また、ベースバンド部１１６は、DRX制御及び／又はDTX制御を行う。
【００４４】
ベースバンド部１１６について、具体的に説明する。
【００４５】
ベースバンド部１１６は、L1モデム・チャネルコーディング部１１８を有する。L1モデム・チャネルコーディング部１１８は、フロントエンド部１０８により入力されたデジタル信号を音声信号に変換し、変換された音声信号を後述するオーディオI/F１２０を介して、スピーカ・マイク１３０に出力する。また、L1モデム・チャネルコーディング部１１８は、スピーカ・マイク１３０により入力された音声を符号化し、フロントエンド部１０８に入力する。ベースバンド部１１６は、オーディオI/F１２０を有する。オーディオI/F１２０は、L1モデム・チャネルコーディング部１１８とスピーカ・マイク１３０との間のインターフェースである。ベースバンド部１１６は、ベースバンド処理部１２２を有する。ベースバンド処理部１２２は、移動局装置１００のDRX状態及び／又はDTX状態を制御する。また、ベースバンド処理部１２２は、移動局装置１００がDRX状態及び／又はDTX状態である場合に、基地局装置２００により送信された在圏確認信号を受信した場合に、その応答処理を行う。この在圏確認信号は、移動局装置が在圏しているか否かを判定するために送信される。例えば、基地局装置２００より、在圏確認信号として、制御信号が送信された場合には、その応答信号を生成し、生成した応答信号の送信制御を行う。例えば、制御信号には、L1/L2制御チャネルが含まれる。また、ベースバンド処理部１２２は、移動局装置１００のDRX状態及び／又はDTX状態であり、且つ、該移動局装置１００と基地局装置２００との間で、信号の送受信が行われない状態が継続している場合に、所定の周期で、直前に呼確立を行った基地局装置２００に、在圏報告信号を送信する。この在圏報告信号は、基地局装置２００に対して、在圏していることを通知する。すなわち、在圏確認信号及び／又は在圏報告信号は、該移動局装置１００がDRX状態及び／又はDTX状態であり、且つ、該移動局装置１００と基地局装置２００との間で、信号の送受信が行われない状態が継続している場合に送信される。ここで、該移動局装置１００がDRX状態及び／又はDTX状態である場合とは、基地局装置２００が、該移動局装置１００の状態がDRX状態及び／又はDTX状態であると認識している場合、該移動局装置１００自身が自装置の状態をDRX状態及び／又はDTX状態であると認識している場合が含まれる。また、所定の周期は、基地局装置２００側で、該移動局装置１００がDRX状態及び／又はDTX状態であり、且つ、該移動局装置１００と基地局装置２００との間で信号の送受信が行われない状態が継続し、該移動局装置１００が基地局装置２００のカバーするエリアに在圏していることが疑わしいと判断される時間である。例えば、所定の周期は、図４を参照して説明したDRX周期を超える時間であるのが好ましい。例えば、在圏報告信号の送信回数を減少させる観点からは、DRX周期を超える十分に長い時間であるのが好ましい。また、この所定の周期は基地局装置２００に決定されるようにしてもよい。例えば、所定の周期は、移動局装置の種類に基づいて決定するようにしてもよい。また、例えば、所定の周期は、移動局装置の能力に基づいて決定するようにしてもよい。
【００４６】
バースバンド処理部１２２について、具体的に説明する。ベースバンド処理部１２２は、DRX/DTX制御部１２４を有する。DRX/DTX制御部１２４は、所定の時間、受信データがない場合に、該移動局装置１００をDRX状態に遷移させる。例えば、DRX/DTX制御部１２４は、受信部１０６を制御することにより、受信頻度を減少させる。また、DRX/DTX制御部１２４は、所定の時間、送信データがない場合に、該移動局装置１００をDTX状態に遷移させるようにしてもよい。例えば、DRX/DTX制御部１２４は、送信部１１０を制御することにより、送信頻度を減少させる。この場合、DRX/DTX制御部１２４は、基地局装置２００に対して、DRX状態に遷移したことを通知するようにしてもよい。また、DRX/DTX制御部１２４は、基地局装置２００に対して、DTX状態に遷移したことを通知するようにしてもよい。このようにすることにより、無線リソースの利用効率を高め、移動局の消費バッテリを低減することができる。また、DRX/DTX制御部１２４は、基地局装置２００により送信されたDRX状態に遷移する指示が含まれる信号に従って、該移動局装置１００をDRX状態に遷移させるようにしてもよい。例えば、基地局装置２００からDRX状態に遷移する指示が含まれるMAC  PDUを受信した場合に、DRX状態に遷移するようにしてもよい。また、DRX/DTX制御部１２４は、基地局装置２００により送信されたDTX状態に遷移する指示が含まれる信号に従って、該移動局装置１００をDTX状態に遷移させるようにしてもよい。また、DRX/DTX制御部１２４は、該移動局装置１００が、DRX状態及び／又はDTX状態である場合に、基地局装置２００により送信された在圏確認信号を受信した場合、該在圏確認信号に対する応答信号の送信制御を行う。また、DRX/DTX制御部は、該移動局装置１００が、DRX状態及び／又はDTX状態である場合に、所定の周期で、直前に呼確立を行った基地局装置２００に在圏確認信号を送信する制御を行う。上述したように、在圏確認信号及び／又は在圏報告信号は、該移動局装置１００がDRX状態及び／又はDTX状態で、且つ、該移動局装置１００と基地局装置２００との間で、信号の送受信が行われない状態が継続している場合に送信される。
【００４７】
また、ベースバンド処理部１２２は、上りリンク制御チャネル生成部１２６を有する。上りリンク制御チャネル生成部１２６は、移動局装置１００がDRX状態である場合に、基地局装置２００により送信された在圏確認信号を受信した場合に、その応答信号を生成する。また、上りリンク制御チャネル生成部１２６は、移動局装置１００がDTX状態である場合に、基地局装置２００により送信された在圏確認信号を受信した場合に、その応答信号を生成するようにしてもよい。また、上りリンク制御チャネル生成部１２６は、移動局装置１００がDRX状態であり、且つ、該移動局装置１００と基地局装置２００との間で、信号の送受信が行われない状態が継続している場合に、所定の周期で在圏報告信号を生成する。また、上りリンク制御チャネル生成部１２６は、移動局装置１００がDTX状態であり、且つ、該移動局装置１００と基地局装置２００との間で、信号の送受信が行われない状態が継続している場合に、所定の周期で在圏報告信号を生成するようにしてもよい。例えば、基地局装置２００より、在圏確認信号として、制御信号が送信された場合には、その応答信号を生成する。例えば、制御信号には、L1/L2制御チャネルが含まれる。
【００４８】
ベースバンド部１１６は、RF制御部１２８を有する。RF部１２８は、RF部１０２の制御を行う。具体的には、送信部１１０及びPA１１４の制御を行う。
【００４９】
本実施例に係る移動局装置１００は、スピーカ・マイク１３０を有する。スピーカ・マイク１３０は、ユーザにより発声された音声及び／又はその他の音をベースバンド部１１６に入力し、ベースバンド部１１６により出力された音声及び／又は音を出力する。
【００５０】
本実施例に係る移動局装置１００は、呼制御部１３２を有する。呼制御部１３２は、基地局装置２００との間で呼処理を行う。また、呼制御部１３２は、無線チャネルの管理、通信品質の管理、モビリティの管理を行う。
【００５１】
本実施例に係る移動局装置１００は、記憶部１３４を有する。記憶部１３４は、呼制御部１３２により管理される無線チャネル、通信品質、モビリティを記録する。例えば、記憶部１３４には、自移動局装置のグローバルＩＤ、例えばIMSI(international  mobile  subscriber  identifier)（国際移動加入者ID）/TMSI(Temporary  mobile  subscriber  identity)（移動加入者識別ID）を格納する。また、記憶部１３４は、呼確立が行われた場合には、現在自移動局装置が位置するトラッキング・エリア(TA:  Tracking  Area)の情報を格納する。また、記憶部１３４は、呼確立が行われた場合には、基地局装置２００により割り当てられたC-RNTI(cell  specific-Radio  Network  Temporary  ID)を記録する。また、記憶部１３４は、呼確立が行われた場合には、自移動局装置１００に割り当てられたIP  アドレスを記録するようにしてもよい。
【００５２】
この実施例に係る基地局装置２００について、図１０を参照して説明する。
【００５３】
LTEシステムにおいては、W-CDMAシステムとシステムアーキテクチャ等が大きく異なり、W-CDMAシステムで存在していた無線ネットワーク制御装置(RNC:  Radio  Network  Controllerに含まれる機能の幾つかは基地局装置２００に配置される。基地局装置２００は、無線リソースの管理機能などの呼処理制御機能を有する。
【００５４】
本実施例に係る基地局装置２００は、屋外受信増幅器２０２を有する。屋外増幅器２０２は、アンテナにより受信された信号を増幅し、該増幅した信号を後述するRF部２０４に入力する。
【００５５】
本実施例に係る基地局装置２００は、RF部２０４を有する。RF部２０４は、屋外受信増幅器２０２により入力された信号をベースバンド信号に変換し、後述するベースバンド部２１２に入力する。また、RF部２０４はベースバンド部２１２により入力された中間周波数のIF信号をRF信号にアップコンバートし、増幅し、送信する。
【００５６】
具体的に説明する。RF部２０４は、無線送受信部２０８を有する。無線送受信部２０８は、ベースバンド部２１２により入力された信号をアナログ信号に変換し、RF信号にアップコンバートし、送信増幅器２０６に入力する。また、無線送受信部２０８は、屋外送受信増幅器２０２により入力された信号をベースバンド信号に変換し、ベースバンド部２１２に入力する。RF部２０４は、送信増幅器２０６を有する。送信増幅器２０６は、無線送受信部２０８により入力された信号を増幅し送信する。RF部２０４は、インターフェース２１０を有する。インターフェース２１０は、ベースバンド部２１２との間のインターフェースである。
【００５７】
本実施例に係る基地局装置２００は、ベースバンド部２１２を有する。ベースバンド部２１２は、移動局装置１００との間で呼制御を行う。また、ベースバンド部２１２はDRX状態である移動局装置の監視を行う。また、ベースバンド部２１２はDTX状態である移動局装置の監視を行うようにしてもよい。
【００５８】
具体的に説明する。ベースバンド部２１２は、インターフェース２１４を有する。インターフェース２１４は、RF部２０４との間のインターフェースである。
【００５９】
ベースバンド部２１２は、ベースバンド処理部２１６を有する。ベースバンド処理部２１６は、DRX状態である移動局装置１００を監視する。例えば、自基地局装置２００のカバーするエリアに在圏している移動局装置のうち、DRX状態となった移動局装置が引き続き自基地局装置２００のカバーするエリアに在圏するか否かを、在圏確認信号送信周期としての所定の周期で監視する。そして、ベースバンド処理部２１６は、DRX状態である移動局装置が自基地局装置２００のカバーするエリアに在圏していると判断されなくなった場合には、後述する呼制御部２２４に対して、該移動局装置２００に関して保持しているリソース情報を削除するように命令する。リソース情報には、パラメータが含まれる。パラメータには、回線接続に必要なID情報、回線情報が含まれる。例えば、ＩＤ情報には、IMSIが含まれるようにしてもよい。また、回線情報には、トラッキング・エリアのID、C-RNTI及び移動局装置１００のIPアドレスのうち、少なくとも１つが含まれるようにしてもよい。その結果、リソースバッファが解放され、リソースの解放が行われる。
【００６０】
また、ベースバンド処理部２１６は、DTX状態である移動局装置１００を監視するようにしてもよい。例えば、自基地局装置２００のカバーするエリアに在圏している移動局装置のうち、DTX状態となった移動局装置が引き続き自基地局装置２００のカバーするエリアに在圏するか否かを、所定の周期で監視する。そして、ベースバンド処理部２１６は、DTX状態である移動局装置が自基地局装置２００のカバーするエリアに在圏していると判断されなくなった場合には、呼制御部２２４に対して、該移動局装置２００に関して保持しているリソース情報を削除するように命令するようにしてもよい。その結果、リソースバッファが解放され、リソースの解放が行われる。
【００６１】
また、所定の周期は、在圏確認を行うことにより、在圏していない移動局装置が存在すると想定される時間である。例えば、所定の周期は、図４を参照して説明したDRX周期を超える時間であるのが好ましい。例えば、在圏確認信号の送信回数を減少させる観点からは、DRX周期を超える十分に長い時間であるのが好ましい。また、この所定の周期は移動局装置毎に決定されるようにしてもよい。例えば、所定の周期は、移動局装置の種類に基づいて決定するようにしてもよい。また、例えば、所定の周期は、移動局装置の能力に基づいて決定するようにしてもよい。
【００６２】
ベースバンド処理部２１６について、具体的に説明する。
【００６３】
ベースバンド処理部２１６は、DRX/DTX制御部２２０を有する。DRX/DTX制御部２２０は、無線送受信部２０８における送受信処理の制御を行うことにより、DRX制御及び／又はDTX制御を行う。また、DRX/DTX制御部２２０は、送信するデータが無い移動局装置に対して、DRX状態に遷移させる命令が含まれる信号を送信する。また、移動局装置１００からDRX状態に遷移した通知を受信することにより、該移動局装置１００がDRX状態に遷移したことを認識するようにしてもよい。
【００６４】
また、DRX/DTX制御部２２０は、受信するデータが無い移動局装置に対して、DTX状態に遷移させる命令が含まれる信号を送信するようにしてもよい。例えば、リソース割り当て要求のない移動局装置に対して、DTX状態に遷移させる命令が含まれる信号を送信するようにしてもよい。また、移動局装置１００からDTX状態に遷移した通知を受信することにより、該移動局装置１００がDTX状態に遷移したことを認識するようにしてもよい。
【００６５】
また、DRX/DTX制御部２２０は、自基地局装置２００のカバーするエリアにDRX状態である移動局装置が存在する場合に、該DRX状態である移動局装置に対して在圏確認信号を送信するように後述する下りリンク制御チャネル生成部２１８に対して、所定の周期で命令する。また、DRX/DTX制御部２２０は、自基地局装置２００のカバーするエリアにDTX状態である移動局装置が存在する場合に、該DTX状態である移動局装置に対して在圏確認信号を送信するように後述する下りリンク制御チャネル生成部２１８に対して、所定の周期で命令するようにしてもよい。また、DRX/DTX制御部２２０は、在圏確認信号を送信した移動局装置からの応答がない場合に、呼制御部２２４に対して、該移動局装置２００に関して保持しているリソース情報を削除するように命令する。また、DRX/DTX制御部２２０は、在圏確認信号を送信した移動局装置からの応答がある場合には、該移動局装置が在圏している判断する。この場合、呼制御部２２４は、該移動局装置を同期引き  込み可能状態として扱う。
【００６６】
また、DRX/DTX制御部２２０は、自基地局装置２００のカバーするエリアに在圏するDRX状態である移動局装置から在圏報告信号が送信された場合に、該在圏報告信号に対する応答信号を送信するように後述する下りリンク制御チャネル生成部２１８に対して命令する。DRX/DTX制御部２２０は、自基地局装置２００のカバーするエリアに在圏するDTX状態である移動局装置から在圏報告信号が送信された場合に、該在圏報告信号に対する応答信号を送信するように下りリンク制御チャネル生成部２１８に対して命令するようにしてもよい。
【００６７】
ベースバンド処理部２１６は、下りリンク制御チャネル生成部２１８を有する。下りリンク制御チャネル生成部２１８は、DRX/DTX制御部２２０からの命令に従って、在圏確認信号を生成する。この在圏確認信号は、RF部２０４を介して、DRX状態と認識している移動局装置１００に対して所定の周期で送信される。また、この在圏確認信号は、RF部２０４を介して、DTX状態と認識している移動局装置１００に対して所定の周期で送信されるようにしてもよい。例えば、状態確認信号として、制御チャネルを生成するようにしてもよい。また、この制御チャネルには、L1/L2制御チャネルが含まれてもよい。また、L1/L2制御チャネルには、タイミングアドバンス(TA:  Timing  Advance)が含まれてもよい。また、下りリンク制御チャネル生成部２１８は、DRX/DTX制御部２２０により在圏報告信号に対する応答を送信するように命令された場合に、該応答信号を生成し、送信する。
【００６８】
ベースバンド処理部２２０は、伝送路I/F２２２を有する。伝送路I/F２２２は上位装置３００との間のインターフェースである。上位装置３００には、上述したように、MME/S-GWが含まれてもよい。
【００６９】
ベースバンド部２１２は、呼制御部２２４を有する。呼制御部２２４は、移動局装置１００との間で呼処理を行う。また、呼制御部２２４は、無線リソースの管理を行う。また、呼制御部２２４は、呼処理を行った移動局装置に対応するリソース情報を記憶部２２６に格納する。また、呼制御部２２４は、DRX/DTX制御部１２４からの命令に従って、在圏確認信号に対する応答がない移動局装置に関して保持しているリソース情報を、記憶部２２６から削除する。このようにすることにより、在圏確認信号に対する応答がない移動局装置に対応するリソースを解放できる。また、呼制御部２２４は、各種ネットワーク側接続先であるターゲット基地局装置(Target  eNode-B)又はMME/S-Gatewayに対するインタフェースメッセージの生成を行う。また、呼制御部２２４は、メッセージを受信した場合には、該メッセージに対する基地局装置の制御を行う。
【００７０】
本実施例に係る移動通信システムの動作について、図１１及び図１２を参照して説明する。
【００７１】
基地局装置２００と移動局装置１００との間で、ランダムアクセス手順(Random  Access  Procedure)が行われ、呼確立状態となる。このランダムアクセス手順について説明する。
【００７２】
移動局装置１００は、ランダムアクセスプリアンブル(Random  Access  Preamble)を基地局装置２００に送信する（ステップＳ１１０２）。このランダムアクセスプリアンブルには、ランダムＩＤが含まれていてもよい。
【００７３】
基地局装置２００は、移動局装置１００からランダムアクセスプリアンブルを受信すると、ランダムアクセスレスポンス(Random  Access  Response)を送信することにより応答を行う（ステップＳ１１０４）。このランダムアクセスレスポンスには、ＲＡプリアンブル識別子(RA-preamble  identifier)、タイミングアドバンス、初期上りリンクグラント(initial  UL  grant)及びテンポラリーC-RNTI(cell  specific-Radio  Network  Temporary  ID)が含まれる。C-RNTIは、移動局を識別するためのRANで使用されるIDである。タイミングアドバンスは、送信タイミングを調整するための情報である。
【００７４】
移動局装置１００は、ランダムアクセスレスポンスに基づいて、スケジュールトランスミッションを送信する（ステップＳ１１０６）。このスケジュールトランスミッションは共有チャネルを使用して送信される。このスケジュールトランスミッションには、移動局装置１００のC-RNTIが含まれる。
【００７５】
基地局装置２００は、コンテンションレゾルーション(Contention  Resolution)を、移動局装置１００に送信する（ステップＳ１１０８）。このコンテンションレゾルーションには、C-RNTI、IMSI/TMSI、UL  grantが含まれる。
【００７６】
その後、テンポラリーC-RNTIが移動局装置のC-RNTIに変更される。
【００７７】
ランダムアクセス手順が行われることにより、基地局装置２００の記憶部２２６には、リソース情報として、IMSI、トラッキング・エリアのID、C-RNTI、移動局装置のIPアドレスが格納される。
【００７８】
次に、本実施例に係る移動通信システムにおけるDRX状態及び／又はDTX状態である移動局装置に対する在圏確認動作について、図１２を参照して説明する。
【００７９】
移動局装置１００と基地局装置２００との間でランダムアクセス手順が行われることにより、呼確立状態となる（ステップＳ１２０２）。
【００８０】
基地局装置２００は移動局装置１００に対して無線リソースを割り当てる（ステップＳ１２０４）。
【００８１】
基地局装置２００のDRX/DTX制御部２２０は、移動局装置１００に送信データがあるか否かを判断する（ステップＳ１２０６）。例えば、移動局装置１００からのリソース割り当て要求に基づいて、該送信データがあるか否かを判断するようにしてもよい。
【００８２】
送信データがあると判断した場合（ステップＳ１２０６：ＹＥＳ）、基地局装置２００は、該移動局装置１００に上りリンクのリソース割り当てを実施する（ステップＳ１２０８）。そして、ステップＳ１２０４に戻る。
【００８３】
一方、送信データが無いと判断した場合（ステップＳ１２０６：ＮＯ）、基地局装置２００は、該移動局装置１００をDRX状態に移行（遷移）させる（ステップＳ１２１０）。
【００８４】
基地局装置２００のDRX/DTX制御部２２０は、DRX周期に従って、移動局装置１００に送信データがあるか否かを判断する（ステップＳ１２１２）。
【００８５】
送信データがあると判断した場合（ステップＳ１２１２：ＹＥＳ）、移動局装置１００からのリソース割り当て要求に応じて、基地局装置２００は、該移動局装置１００に上りリンクのリソース割り当てを実施する（ステップＳ１２１４）。そして、ステップＳ１２０４に戻る。
【００８６】
一方、送信データが無いと判断した場合（ステップＳ１２１２：ＮＯ）、該移動局装置１００は、DRX状態を継続する（ステップＳ１２１６）。
【００８７】
基地局装置２００のDRX/DTX制御部２２０は、該移動局装置に対して接続確認が必要か否か、言い換えれば、在圏確認信号を送信するか否かを判断する（ステップＳ１２１８）。例えば、在圏確認送信周期としての所定の周期で規定される時間が経過しても、DRX状態及び／又はDTX状態に遷移した移動局装置との間でデータの送受信がない場合に在圏確認信号を送信すると判断する。
【００８８】
在圏確認信号を送信すると判断しない場合（ステップＳ１２１８：ＮＯ）、ステップＳ１２１６に戻る。例えば、所定の周期で規定される時間が経過していない場合が該当する。
【００８９】
一方、在圏確認信号を送信すると判断した場合（ステップＳ１２１８：ＹＥＳ）、DRX/DTX制御部２２０は、下りリンク制御チャネル生成部２１８に、在圏確認信号を生成するように命令する。そして、下りリンク制御チャネル生成部２１８において生成された在圏確認信号は、インターフェース２１４及び２１０、無線送受信部２０８、送信増幅器２０６及び屋外受信増幅器２０２を介して、移動局装置１００に送信される（ステップＳ１２２０）。例えば、DRX状態及び／又はDTX状態に遷移する直前に呼確立が行われた移動局装置宛に、在圏確認信号が送信される。
【００９０】
基地局装置２００のDRX/DTX制御部２２０は、移動局装置１００から在圏確認信号に対する応答があるか否かを判断する（ステップＳ１２２２）。
【００９１】
在圏確認信号に対する応答を受信した場合（ステップＳ１２２２：ＹＥＳ）、基地局装置２００のDRX/DTX制御部２２０は、該移動局装置が在圏していると判断する。この場合、呼確立が継続していると判断される（ステップＳ１２２４）。そして、ステップＳ１２０６に戻る。
【００９２】
一方、在圏確認信号に対する応答を受信しない場合（ステップＳ１２２２：ＮＯ）、基地局装置２００のDRX/DTX制御部２２０は、呼確立が継続していることを確認できないと判断する（ステップＳ１２２６）。基地局装置２００は、継続して在圏確認信号を該移動局装置１００に送信する。
【００９３】
DRX/DTX制御部２２０は、在圏確認信号の送信回数が所定のリトライ回数を超えたか否かを判断する（ステップＳ１２２８）。リトライ回数を超えない場合（ステップＳ１２２８：ＮＯ）、ステップＳ１２２０に戻る。このリトライ回数は、該当移動局装置との間で呼確立状態であることを判断するのに十分な回数であることが好ましい。
【００９４】
一方、リトライ回数を超えた場合（ステップＳ１２２８：ＹＥＳ）、DRX/DTX制御部２２０は、移動局装置１００が在圏していると判定できないと判断する（ステップＳ１２３０）。基地局装置２００のDRX/DTX制御部２２０は、呼制御部２２４に対して、該移動局装置１００に関するリソース情報を記憶部２２６から削除するように命令する（ステップＳ１２３２）。このようにすることにより、在圏確認信号に対する応答が受信されない移動局装置の個別のコンテキストを解放できる。
【００９５】
以上は、基地局装置２００が移動局装置１００に対して、在圏確認信号を送信する場合について説明したが、移動局装置１００が基地局装置２００に対して在圏報告信号を送信するようにしてもよい。
【００９６】
この場合、上述したステップＳ１２１８以降の処理が異なるので、ステップＳ１２１８以降の処理について説明する。
【００９７】
移動局装置１００のDRX/DTX制御部１２４は、基地局装置２００に対して、在圏報告信号を送信するか否かを判断する（ステップＳ１２１８）。例えば、所定の周期で規定される時間が経過しても、DRX状態及び／又はDTX状態に遷移した移動局装置との間でデータの送受信がない場合に在圏報告信号を送信すると判断する。
【００９８】
在圏報告信号を送信すると判断しない場合（ステップＳ１２１８：ＮＯ）、ステップＳ１２１６に戻る。
【００９９】
一方、在圏報告信号を送信すると判断した場合（ステップＳ１２１８：ＹＥＳ）、DRX/DTX制御部１２４は、上りリンク制御チャネル生成部１２６に、在圏報告信号を生成するように命令する。そして、上りリンク制御チャネル生成部１２６において生成された在圏報告信号は、L1モデム・チャネルコーディング部１１８、フロントエンド部１０８、送信部１１０、パワーアンプ１１４及び送受共用部１０４を介して、基地局装置２００に送信される（ステップＳ１２２０）。例えば、DRX状態及び／又はDTX状態に遷移する直前に呼確立が行われた基地局装置宛に、在圏報告信号が送信される。
【０１００】
移動局装置１００のDRX/DTX制御部１２４は、基地局装置２００から在圏報告信号に対する応答があるか否かを判断する（ステップＳ１２２２）。
【０１０１】
在圏報告信号に対する応答を受信した場合（ステップＳ１２２２：ＹＥＳ）、移動局装置１００のDRX/DTX制御部１２４は、基地局装置２００に対して、在圏していることを通知できたと判断する。この場合、基地局装置２００では、呼確立が継続していると判断される（ステップＳ１２２４）。そして、ステップＳ１２１６に戻る。
【０１０２】
一方、在圏報告信号に対する応答を受信しない場合（ステップＳ１２２２：ＮＯ）、移動局装置１００のDRX/DTX制御部１２４は、呼確立が継続していることを確認できないと判断する（ステップＳ１２２６）。移動局装置１００は、継続して在圏報告信号を基地局装置２００に送信する。
【０１０３】
DRX/DTX制御部１２４は、在圏報告信号の送信回数が所定のリトライ回数を超えたか否かを判断する（ステップＳ１２２８）。リトライ回数を超えない場合（ステップＳ１２２８：ＮＯ）、ステップＳ１２２０に戻る。このリトライ回数は、基地局装置との間で呼確立状態であることを判断するのに十分な回数であることが好ましい。
【０１０４】
一方、リトライ回数を超えた場合（ステップＳ１２２８：ＹＥＳ）、DRX/DTX制御部１２４は、自移動局装置１００が、DRX状態及び／又はDTX状態に遷移する直前に在圏していた基地局装置のカバーするエリアに在圏していると判定ができないと判断する（ステップＳ１２３０）。移動局装置１００のDRX/DTX制御部１２４は、呼制御部１３２に対して、DRX状態及び／又はDTX状態に遷移する直前に在圏していた基地局装置２００に関するリソース情報を記憶部１３４から削除するように命令する（ステップＳ１２３２）。
【０１０５】
本実施例によれば、DRX状態及び／又はDTX状態に遷移している移動局装置に対して、在圏判定を行うことができる。
（第２の実施例）
他の実施例に係る基地局装置及び移動局装置が適用される移動通信システムについては、図８を参照して説明した構成と同様である。
【０１０６】
また、本実施例に係る移動局装置１００及び基地局装置２００の構成は、それぞれ図９及び図１０を参照して説明した構成と同様である。
【０１０７】
本実施例に係る移動通信システムは、基地局装置２００側から在圏確認信号を送信する場合において、該在圏確認信号を具体化したものである。
【０１０８】
例えば、在圏確認信号として、Ｌ１／Ｌ２制御チャネルが適用される。このＬ１／Ｌ２制御チャネルには、ランダムアクセスプリアンブルアサインメント(RA  Preamble  assignment)が含まれるようにしてもよい。例えば、図１３に示すように、移動局装置１００はDRX状態である（ステップＳ１３０２）。そして、基地局装置２００は、移動局装置の在圏確認を開始する（ステップＳ１３０４）。例えば、タイマーをオンにすることにより、所定の周期を判断する。
【０１０９】
所定の周期で規定される時間が経過した場合、基地局装置２００は移動局装置１００に在圏確認信号を送信する（ステップＳ１３０６）。例えば、RA  Preamble  assignmentを送信する。
【０１１０】
移動局装置１００は、基地局装置２００から在圏確認信号を受信した場合、該在圏確認信号に対する応答信号を送信する（ステップＳ１３０８）。例えば、基地局装置２００からRA  Preamble  assignmentが送信された場合、その応答信号として、ランダムアクセスプリアンブル(Random  Access  Preamble)を送信する。基地局装置２００は、在圏確認信号に対する応答を受信した場合には、該移動局装置が自基地局装置２００のカバーするエリアに在圏していることを認識する。一方、移動局装置からの応答信号が受信されない場合には、所定の回数リトライを行う。それでも応答信号を受信できない場合には、該移動局装置１００に対応するリソース情報を削除する。このようにすることにより、該移動局装置の個別のコンテキストを解放する。
【０１１１】
次に、本実施例に係る移動通信システムにおけるDRX状態である移動局装置に対する在圏確認動作の詳細について、図１４を参照して説明する。本実施例では、DRX状態である移動局装置に対する在圏確認動作について説明するが、DTX状態である移動局装置に対する在圏確認動作についても同様である。
【０１１２】
本実施例に係る基地局装置２００の記憶部２２６には、DRX状態である移動局装置毎に、タイマー超過回数と、DRX経過時間が記憶される。DRX経過時間は、その経過時間が長い順に記憶されるようにしてもよい。以下、DRX状態である移動局装置毎に、タイマー超過回数と、DRX経過時間とを対応付けたテーブルをDRX状態移動局装置管理テーブルと呼ぶ。
【０１１３】
移動局装置１００と基地局装置２００との間でランダムアクセス手順が行われることにより、呼確立状態となる（ステップＳ１４０２）。
【０１１４】
移動局装置１００は、DRX状態に遷移する（ステップＳ１４０４）。
【０１１５】
基地局装置２００のDRX/DTX制御部２２０は、自基地局装置２００のカバーするエリアに在圏する移動局装置のうち、DRX状態である移動局装置をカウントする（ステップＳ１４０６）。DRX/DTX制御部２２０は、カウントされた移動局装置のうち、新たにカウントされた移動局装置をDRX状態移動局装置管理テーブルに記憶する。
【０１１６】
基地局装置２００のDRX/DTX制御部２２０は、DRX状態である移動局装置が在圏していることを確認するための在圏確認信号を送信する所定の周期により規定される時間を計数するためのタイマーを起動する（ステップＳ１４０８）。例えば、この所定の周期は、１ｍｓ−２５５ｍｓの範囲で設定される。例えば、１０ｍｓに設定されてもよい。例えば、このタイマーは、DRX状態である移動局装置毎に起動される。
【０１１７】
DRX/DTX制御部２２０は、在圏確認信号を送信する時間が経過したか否かを判断する（ステップＳ１４１０）。
【０１１８】
在圏確認信号を送信する時間が経過しない場合（ステップＳ１４１０：ＮＯ）、ステップＳ１４１０に戻る。一方、在圏確認信号を送信する時間が経過した場合（ステップＳ１４１０：ＹＥＳ）、該在圏確認信号を送信する時間が経過した回数を示すタイマー超過回数をカウントする（ステップＳ１４１２）。
【０１１９】
DRX/DTX制御部２２０は、在圏確認信号を送信する時間が経過した移動局装置１００の在圏確認を開始すると判断する（ステップＳ１４１４）。
【０１２０】
DRX/DTX制御部２２０は、下りリンク制御チャネル生成部２１８にRA  Preamble  assignmentを生成するように命令する（ステップＳ１４１６）。RA  Preamble  assignmentが基地局装置２００から送信される。
【０１２１】
DRX/DTX制御部２２０は、移動局装置１００から、RA  Preamble  assignmentに対する応答が受信されたか否かを判断する（ステップＳ１４１８）。
【０１２２】
移動局装置１００から、RA  Preamble  assignmentに対する応答が受信された場合（ステップＳ１４１８：ＹＥＳ）、DRX/DTX制御部２２０は、該移動局装置１００の状態を確認できたと判断する（ステップ１４２０）。そして、ステップＳ１４０８に戻る。
【０１２３】
一方、移動局装置１００から、RA  Preamble  assignmentに対する応答が受信されない場合（ステップＳ１４１８：ＮＯ）、DRX/DTX制御部２２０は、在圏確認信号の送信回数が所定のリトライ回数を超過したか否かを判断する（ステップＳ１４２２）。例えば、所定のリトライ回数は、１回−２５５回の間で設定されてもよい。例えば、５回に設定される。例えば、所定のリトライ回数は、基地局装置２００により通知されてもよい。例えば、呼確立の後で、移動局装置がDRX状態及び／又はDTXに遷移していない状態のときに通知される。
【０１２４】
リトライ回数を超過しない場合（ステップＳ１４２２：ＮＯ）、ステップＳ１４１４に戻る。一方、リトライ回数を超過する場合（ステップＳ１４２２：ＹＥＳ）、DRX/DTX制御部２２０は、該移動局装置１００が在圏していると判定できないと判断する（ステップＳ１４２４）。そして、DRX/DTX制御部２２０は、呼制御部２２４に対して、該移動局装置１００に関するリソース情報を記憶部２２６から削除するように命令する（ステップＳ１４２６）。このようにすることにより、在圏確認信号に対する応答が受信されない移動局装置の個別のコンテキストを解放できる。
【０１２５】
DRX/DTX制御部２２０は、呼制御部２２４に対して、記憶部２２６に記憶されているDRX状態移動局装置管理テーブルを更新するように命令する（ステップＳ１４２８）。例えば、DRX状態移動局装置管理テーブルに記憶されている移動局装置のうち、コンテキストの解放が行われた移動局装置を削除する命令が行われる。呼制御部２２４は、DRX/DTX制御部２２０による命令に従って、コンテキストの解放が行われた移動局装置を削除する。
【０１２６】
また、ステップＳ１４１２においてタイマー超過回数がカウントされる場合、該当移動局装置に対応するタイマーの超過回数に１が加えられる（ステップＳ１４３０）。
【０１２７】
DRX/DTX制御部２２０は、１が加えられたタイマーの超過回数がリトライ回数を超過したか否かを判断する（ステップ１４３２）。
【０１２８】
リトライ回数を超過しない場合（ステップＳ１４３２：ＮＯ）、ステップＳ１４２８に戻る。この場合、DRX状態移動局装置管理テーブルにおいて、該当移動局装置に対するタイマー超過回数と、DRX経過時間とが更新される。
【０１２９】
一方、リトライ回数を超過する場合（ステップＳ１４３２：ＹＥＳ）、DRX/DTX制御部２２０は、呼制御部２２４に対して、該移動局装置１００に関するリソース情報を記憶部２２６から削除するように命令する（ステップＳ１４３４）。このようにすることにより、在圏確認信号に対する応答が受信されない移動局装置の個別のコンテキストを解放できる。
【０１３０】
DRX/DTX制御部２２０は、呼制御部２２４に対して、記憶部２２６に記憶されているDRX状態移動局装置管理テーブルを更新するように命令する（ステップＳ１４２８）。例えば、DRX状態移動局装置管理テーブルに記憶されている移動局装置のうち、コンテキストの解放が行われた移動局装置を削除する命令が行われる。呼制御部２２４は、DRX/DTX制御部２２０による命令に従って、コンテキストの解放が行われた移動局装置を削除する。
（第３の実施例）
他の実施例に係る基地局装置及び移動局装置が適用される移動通信システムについては、図８を参照して説明した構成と同様である。
【０１３１】
また、本実施例に係る移動局装置１００及び基地局装置２００の構成は、それぞれ図９及び図１０を参照して説明した構成と同様である。
【０１３２】
本実施例に係る移動通信システムは、移動局装置１００側から在圏報告信号を送信する場合において、該在圏報告信号を具体化したものである。
【０１３３】
例えば、在圏報告信号として、ランダムアクセスチャネル(RACH:  Random  Access  Channel)が適用される。このランダムアクセスチャネルには、ランダムアクセスプリアンブル(Random  Access  Preamble)が含まれるようにしてもよい。例えば、図１５に示すように、移動局装置１００はDRX状態である（ステップＳ１５０２）。そして、移動局装置１００は、在圏報告信号を送信するか否かを判断するためのタイマーをオンする。そして、タイマーをオンにしてから在圏報告信号送信周期が経過したかを判断する（ステップＳ１５０４）。
【０１３４】
在圏報告信号送信周期が経過した場合、移動局装置１００は基地局装置１００に状態報告信号を送信する（ステップＳ１５０６）。例えば、Random  Access  Preambleを送信する。
【０１３５】
基地局装置２００は、移動局装置１００から在圏報告信号を受信した場合、該在圏報告信号に対する応答信号を送信する（ステップＳ１５０８）。例えば、移動局装置１００からRandom  Access  Preambleが送信された場合、その応答信号として、ランダムアクセスプリアンブルアクノリッジ(Random  Access  Preamble  Acknowledge)を送信する。
【０１３６】
移動局装置１００は、在圏報告信号に対する応答を受信した場合には、基地局装置２００に対して、自移動局装置が在圏していることを通知できたことを認識する。また、基地局装置２００は、該移動局装置が、自基地局装置２００のカバーするエリアに在圏し続けていることを認識することができる。
【０１３７】
また、移動局装置１００は、在圏報告信号に対する応答を受信しない場合には、２つの要因が考えられる。
【０１３８】
１つ目は、基地局装置２００では、在圏報告信号が受信され、その応答信号を送信したが、移動局装置側で、その応答信号を受信できなかった場合である。この場合には、移動局装置１００が在圏報告信号を再度送信することで、その応答信号を受信できる場合がある。この場合、所定の回数リトライを行い、それでも応答信号を受信できない場合には、在圏していないと判断する。移動局装置１００は、在圏している基地局装置２００に対応するリソース情報を削除する。このようにすることにより、該移動局装置において記憶されている個別のコンテキストを解放することができる。
【０１３９】
２つ目は、移動局装置１００が、該基地局装置のカバーするエリアから出てしまったため、移動局装置１００から送信された在圏報告信号が基地局装置２００に受信されなかった場合である。この場合には、基地局装置２００が、第１及び第２の実施例において説明した機能を備えることにより、該移動局装置が、カバーするエリアから出てしまったことを認識することができる。例えば、基地局装置が、在圏確認信号を送信できるように構成する。
【０１４０】
次に、本実施例に係る移動通信システムにおけるDRX状態である移動局装置の基地局装置に対する在圏報告信号を送信する場合の動作の詳細について、図１６を参照して説明する。本実施例では、DRX状態である移動局装置の基地局装置に対する在圏報告動作について説明するが、DTX状態である移動局装置の基地局装置に対する在圏報告動作についても同様である。
【０１４１】
本実施例に係る基地局装置２００の記憶部２２６には、DRX状態である移動局装置毎に、タイマー超過回数と、DRX経過時間が記憶される。DRX経過時間は、その経過時間が長い順に記憶されるようにしてもよい。以下、DRX状態である移動局装置毎に、タイマー超過回数と、DRX経過時間とを対応付けたテーブルをDRX状態移動局装置管理テーブルと呼ぶ。
【０１４２】
移動局装置１００と基地局装置２００との間でランダムアクセス手順が行われることにより、呼確立状態となる（ステップＳ１６０２）。
【０１４３】
移動局装置１００は、DRX状態に遷移する（ステップＳ１６０４）。
【０１４４】
基地局装置２００のDRX/DTX制御部２２０は、自基地局装置２００のカバーするエリアに在圏する移動局装置のうち、DRX状態である移動局装置をカウントする（ステップＳ１６０６）。DRX/DTX制御部２２０は、カウントされた移動局装置のうち、新たにカウントされた移動局装置をDRX状態移動局装置管理テーブルに記憶する。
【０１４５】
移動局装置１００のDRX/DTX制御部１２４は、自移動局装置が在圏していることを報告するための在圏報告信号を送信する在圏報告信号としての所定の周期により規定される時間を計数するためのタイマーを起動する（ステップＳ１６０８）。例えば、この所定の周期は、基地局装置２００により通知される。例えば、この所定の周期は、１ｍｓ−２５５ｍｓの範囲で設定されるようにしてもよい。例えば、１０ｍｓに設定されてもよい。また、基地局装置２００は、この所定の周期を移動局装置毎に通知するようにしてもよい。すなわち、この所定の周期は、移動局装置毎に異なるようにしてもよい。例えば、この所定の周期は、移動局装置の種類に基づいて決定される。また、例えば、この所定の周期は、移動局装置の能力に基づいて決定されるようにしてもよい。
【０１４６】
DRX/DTX制御部１２４は、在圏報告信号送信周期により規定される時間が経過したか否かを判断する（ステップＳ１６１０）。
【０１４７】
在圏報告信号を送信する時間が経過しない場合（ステップＳ１６１０：ＮＯ）、ステップＳ１６１０に戻る。一方、在圏報告信号送信周期により規定される時間が経過した場合（ステップＳ１６１０：ＹＥＳ）、該在圏報告信号を送信する時間が経過した回数を示すタイマー超過回数をカウントする（ステップＳ１６１２）。
【０１４８】
DRX/DTX制御部１２４は、在圏報告信号の送信を開始すると判断する（ステップＳ１６１４）。
【０１４９】
DRX/DTX制御部１２４は、上りリンク制御チャネル生成部１２６にRandom  Access  Preambleを生成するように命令する（ステップＳ１６１６）。Random  Access  Preambleが移動局装置１００から送信される。
【０１５０】
DRX/DTX制御部１２４は、基地局装置２００から、Random  Access  Preambleに対する応答が受信されたか否かを判断する（ステップＳ１６１８）。
【０１５１】
基地局装置２００から、Random  Access  Preambleに対する応答が受信された場合（ステップＳ１６１８：ＹＥＳ）、DRX/DTX制御部１２４は、基地局装置２００に対して在圏の報告ができた判断する（ステップ１６２０）。そして、ステップＳ１６０８に戻る。
【０１５２】
一方、移動局装置１００から、Random  Access  Preambleに対する応答が受信されない場合（ステップＳ１６１８：ＮＯ）、DRX/DTX制御部１２４は、在圏報告信号の送信回数が所定のリトライ回数を超過したか否かを判断する（ステップＳ１６２２）。例えば、所定のリトライ回数は、１回−２５５回の間で設定されてもよい。例えば、５回に設定される。例えば、所定のリトライ回数は、基地局装置２００により通知されてもよい。例えば、呼確立の後で、移動局装置がDRX状態及び／又はDTXに遷移していない状態のときに通知される。
【０１５３】
リトライ回数を超過しない場合（ステップＳ１６２２：ＮＯ）、ステップＳ１６１４に戻る。一方、リトライ回数を超過する場合（ステップＳ１６２２：ＹＥＳ）、DRX/DTX制御部１２４は、基地局装置２００に在圏の報告ができなかったと判断する（ステップＳ１６２４）。
【０１５４】
DRX/DTX制御部１２４は、呼制御部１３２に対して、該基地局装置２００に関するリソース情報を記憶部１３４から削除するように命令する（ステップＳ１６２６）。このようにすることにより、在圏報告信号に対する応答信号が受信されない基地局装置に関するコンテキストを解放できる。
【０１５５】
その後、上述した第１及び／又は第２の実施例において説明した処理が行われるようにしてもよい。このようにすることにより、基地局装置２００に格納されている該移動局装置の個別のコンテキストを解放することができる。
【０１５６】
上述の実施例によれば、次世代の移動通信システムにおいて、基地局装置は、DRX状態及び／又はDTX状態に遷移している移動局装置の在圏状態を監視することができる。このため、該移動局装置が準正常動作及び／又は異常動作により在圏しなくなった場合に、該移動局装置を検出できる。該移動局装置がSQ断となった場合に、該移動局装置を把握することができる。そして、DRX状態及び／又はDTX状態に遷移している移動局装置の在圏状況に応じて、回線確立の継続が不要となった移動局装置に割り当てられたリソースを解放することができる。例えば、意図しない形でエリア外へ移動してしまった移動局に関連する付帯情報をクリアすることができる。また、基地局装置における負荷処理を軽減できる。例えば、不要な移動局装置の情報管理数削減に伴う無駄バッファ解放を行うことができる。このため、基地局装置に搭載されるメモリの容量の肥大化を抑制することができる。
【０１５７】
例えば、LTEにおけるシステム要求条件として、１セクタ当りに数百ユーザのコンテキストを許容する必要がある。ここで、許容には、管理すること及び／又は保持することが含まれる。例えば、２０ＭＨｚの帯域において、４００ユーザのコンテキストを許容する必要がある。この場合、顧客やサービスされる地区におけるトラフィックのモデルにも起因するが、物理的に上記ユーザ数、例えば、４００ユーザ／ｓｅｃは、同時アクセスすることはできない。リソースブロック数の限界のためである。従って、そのほとんどのユーザが非アクティブ状態又はDRX状態になると想定される。この場合、そのユーザが何らかの要因、例えばDRX状態におけるSQ断により存在しなくなる場合、そのユーザに対応する不要リソースを解放できれば、基地局装置の開発におけるメモリの容量を大幅に低減できる効果が期待できる。
（付記１）
共有チャネルを用いてデータの送受信を行う移動通信システムにおける基地局装置であって、
カバーするエリアに在圏する移動局装置のうち、間欠受信状態及び／又は間欠送信状態に遷移している移動局装置に対して、該移動局装置が前記エリアに在圏していることを確認するための在圏確認信号を生成する在圏確認信号生成手段と、
前記間欠受信状態及び／又は間欠送信状態に遷移している移動局装置のうち、該間欠受信状態及び／又は間欠送信状態が在圏確認信号送信周期を超える時間経過した移動局装置に対して、前記在圏確認信号を送信するように制御する在圏確認信号送信制御手段と
を有し、
前記在圏確認信号を送信した移動局装置から、該在圏確認信号に対する応答を受信できた場合に、当該移動局装置が在圏していると判断することを特徴とする基地局装置。
（付記２）
付記１に記載の基地局装置において、
前記在圏確認信号を送信した移動局装置から、該在圏確認信号に対する応答信号を受信できない場合に、当該移動局装置に対して割り当てているリソースを解放するリソース管理手段
を有することを特徴とする基地局装置。
（付記３）
付記２に記載の基地局装置において、
前記リソース管理手段は、前記在圏確認信号を送信した移動局装置から、該在圏確認信号に対する応答信号を受信できた場合に、当該移動局装置に対して割り当てているリソースを保持することを特徴とする基地局装置。
（付記４）
付記１ないし３のいずれか１項に記載の基地局装置において、
前記在圏確認信号送信制御手段は、前記在圏確認信号送信周期を、移動局装置毎に決定することを特徴とする基地局装置。
（付記５）
付記１ないし４のいずれか１項に記載の基地局装置において、
前記在圏確認信号には、L1/L2制御チャネルが含まれることを特徴とする基地局装置。
（付記６）
付記５に記載の基地局装置において、
前記在圏確認信号には、ランダムアクセスプリアンブルアサインメントが含まれ、
前記リソース管理手段は、ランダムアクセスプリアンブルを受信できない場合に、該移動局装置に対して割り当てているリソースを保持することを特徴とする基地局装置。
（付記７）
共有チャネルを用いてデータの送受信を行う移動通信システムにおける基地局装置であって、
間欠受信状態及び／又は間欠送信状態に遷移している移動局装置から送信された在圏報告のための在圏報告信号に対する応答信号を生成する応答信号生成手段と、
カバーするエリアに在圏する移動局装置のうち、間欠受信状態及び／又は間欠送信状態に遷移している移動局装置から送信された在圏報告信号を受信した場合に、前記応答信号を送信するように制御する応答信号送信制御手段と
を有し、
前記在圏報告信号を送信した移動局装置が在圏していると判断することを特徴とする基地局装置。
（付記８）
付記７に記載の基地局装置において、
前記在圏報告信号を送信した移動局装置に対して割り当てているリソースを保持するリソース管理手段
を有することを特徴とする基地局装置。
（付記９）
付記７又は８に記載の基地局装置において、
前記間欠受信状態及び／又は間欠送信状態に遷移している移動局装置に前記在圏報告信号を送信させる在圏報告信号送信周期を決定する在圏報告信号送信周期決定手段
を有し、
前記間欠受信状態及び／又は間欠送信状態に遷移している移動局装置に対して、前記在圏報告信号送信周期を送信することを特徴とする基地局装置。
（付記１０）
付記７ないし９のいずれか１項に記載の基地局装置において、
カバーするエリアに在圏する移動局装置のうち、間欠受信状態及び／又は間欠送信状態に遷移している移動局装置に対して、該移動局装置が前記エリアに在圏していることを確認するための在圏確認信号を生成する在圏確認信号生成手段と、
前記間欠受信状態及び／又は間欠送信状態に遷移している移動局装置のうち、該間欠受信状態及び／又は間欠送信状態が在圏確認信号送信周期を超える時間経過した移動局装置に対して、前記在圏確認信号を送信するように制御する在圏確認信号送信制御手段と
を有し、
前記在圏確認信号を送信した移動局装置から、該在圏確認信号に対する応答信号を受信できた場合に、当該移動局装置が在圏していると判断することを特徴とする基地局装置。
（付記１１）
付記１０に記載の基地局装置において、
前記在圏確認信号を送信した移動局装置から、該在圏確認信号に対する応答信号を受信できない場合に、当該移動局装置に対して割り当てているリソースを解放するリソース管理手段
を有することを特徴とする基地局装置。
（付記１２）
付記１１に記載の基地局装置において、
前記リソース管理手段は、前記在圏確認信号を送信した移動局装置から、該在圏確認信号に対する応答信号を受信できた場合に、当該移動局装置に対して割り当てているリソースを保持することを特徴とする基地局装置。
（付記１３）
付記７ないし１２のいずれか１項に記載の基地局装置において、
前記在圏報告信号には、ランダムアクセスチャネルが含まれることを特徴とする基地局装置。
（付記１４）
共有チャネルを用いてデータの送受信を行う移動通信システムにおける移動局装置であって、
間欠受信状態及び／又は間欠送信状態に遷移し、
基地局装置に対して在圏していることを通知するための在圏報告信号を生成する在圏報告信号生成手段と、
前記在圏報告信号を送信する周期に従って、前記間欠受信状態及び／又は間欠送信状態に遷移する直前に呼確立が行われた基地局装置に対して、前記在圏報告信号を送信するように制御する在圏報告信号送信制御手段と
を有し、
前記基地局装置は、移動局装置から送信された在圏報告信号に対する応答信号を送信し、該在圏報告信号を送信した移動局装置が在圏していると判断する
ことを特徴とする移動局装置。
（付記１５）
付記１４に記載の移動局装置において、
前記在圏報告信号には、ランダムアクセスチャネルが含まれることを特徴とする移動局装置。
（付記１６）
付記１５に記載の移動局装置において、
前記在圏報告信号には、ランダムアクセスプリアンブルが含まれ、
前記基地局装置は、該ランダムアクセスプリアンブルに対する応答として、ランダムアクセスプリアンブルアクノリッジを送信することを特徴とする移動局装置。
（付記１７）
共有チャネルを用いてデータの送受信を行う移動通信システムであって、
カバーするエリアに在圏する移動局装置のうち、間欠受信状態及び／又は間欠送信状態に遷移している移動局装置に対して、該移動局装置が前記エリアに在圏していることを確認するための在圏確認信号を生成する在圏確認信号生成手段と、
前記間欠受信状態及び／又は間欠送信状態に遷移している移動局装置のうち、該間欠受信状態及び／又は間欠送信状態が在圏確認信号送信周期を超える時間経過した移動局装置に対して、前記在圏確認信号を送信するように制御する在圏確認信号送信制御手段と
を有し、
前記在圏確認信号を送信した移動局装置から、該在圏確認信号に対する応答信号を受信できた場合に、当該移動局装置が在圏していると判断することを特徴とする移動通信システム。
（付記１８）
共有チャネルを用いてデータの送受信を行う移動通信システムであって、
移動局装置は、
間欠受信状態及び／又は間欠送信状態に遷移し
基地局装置に対して在圏していることを通知するための在圏報告信号を生成する在圏報告信号生成手段と、
前記在圏報告信号を送信する在圏報告信号送信周期に従って、前記間欠受信状態及び／又は間欠送信状態に遷移する直前に呼確立が行われた基地局装置に対して、前記在圏報告信号を送信するように制御する在圏報告信号送信制御手段と
を有し、
前記基地局装置は、
前記間欠受信状態及び／又は間欠送信状態に遷移している移動局装置から送信された在圏報告信号に対する応答信号を生成する応答信号生成手段と、
カバーするエリアに在圏する移動局装置のうち、間欠受信状態及び／又は間欠送信状態に遷移している移動局装置から送信された在圏報告信号を受信した場合に、前記応答信号を送信するように制御する応答信号送信制御手段と
を有し、
前記在圏報告信号を送信した移動局装置が在圏していると判断する
ことを特徴とする移動通信システム。
（付記１９）
共有チャネルを用いてデータの送受信を行う移動通信システムにおける移動局装置の在圏確認方法であって、
基地局装置が、カバーするエリアに在圏する移動局装置のうち、間欠受信状態及び／又は間欠送信状態に遷移している移動局装置に対して、該移動局装置が前記エリアに在圏していることを確認するための在圏確認信号を生成し、
前記間欠受信状態及び／又は間欠送信状態に遷移している移動局装置のうち、該間欠受信状態及び／又は間欠送信状態が在圏確認信号送信周期を超える時間経過した移動局装置に対して、前記在圏確認信号を送信し、
前記在圏確認信号を送信した移動局装置から、該在圏確認信号に対する応答信号を受信できた場合に、当該移動局装置が在圏していると判断する
ことを特徴とする在圏確認方法。
（付記２０）
共有チャネルを用いてデータの送受信を行う移動通信システムにおける移動局装置の在圏確認方法であって、
移動局装置は、
間欠受信状態及び／又は間欠送信状態に遷移し、
基地局装置に対して在圏していることを通知するための在圏報告信号を生成し、
前記在圏報告信号を送信する在圏報告信号送信周期に従って、前記間欠受信状態及び／又は間欠送信状態に遷移する直前に呼確立が行われた基地局装置に対して、前記在圏報告信号を送信し、
前記基地局装置は、
間欠受信状態及び／又は間欠送信状態に遷移している移動局装置から送信された在圏報告信号に対する応答信号を生成し、
カバーするエリアに在圏する移動局装置のうち、間欠受信状態及び／又は間欠送信状態に遷移している移動局装置から送信された在圏報告信号を受信した場合に、前記応答信号を送信し、
前記在圏報告信号を送信した移動局装置が在圏していると判断する
ことを特徴とする在圏確認方法。
【図面の簡単な説明】
【０１５８】
【図１】共有チャネルの割り当てを示す説明図である。
【図２】間欠受信を示す説明図である。
【図３】既存の移動通信システムにおける上りリンク同期監視チャネル及び間欠受信の対象となる信号を示す説明図である。
【図４】間欠受信周期を示す説明図である。
【図５】上りリンクリソースブロックを示す説明図である。
【図６】Mac  PDUの構成例を示す説明図である。
【図７】LCID  Informationの一例を示す説明図である。
【図８】一実施例に係る移動通信システムの構成の一例を説明図である。
【図９】一実施例に係る移動局装置を示す部分ブロック図である。
【図１０】一実施例に係る基地局装置を示す部分ブロック図である。
【図１１】一実施例に係る移動通信システムにおける呼確立手順の一例を示すフロー図である。
【図１２】一実施例に係る移動通信システムにおける処理の一例を示すフロー図である。
【図１３】一実施例に係る移動通信システムにおける処理の一例を示すフロー図である。
【図１４】一実施例に係る移動通信システムにおける処理の一例を示すフロー図である。
【図１５】一実施例に係る移動通信システムにおける処理の一例を示すフロー図である。
【図１６】一実施例に係る移動通信システムにおける処理の一例を示すフロー図である。
【符号の説明】
【０１５９】
１００  移動局装置
１０２  RF部
１０４  送受共用部
１０６  受信部
１０８  フロントエンド部
１１０  送信部
１１２  周波数シンセサイザー
１１４  パワーアンプ
１１６  ベースバンド部
１１８  L1モデム・チャネルコーディング部
１２０  オーディオI/F
１２２  ベースバンド処理部
１２４  DRX/DTX制御部
１２６  上りリンク制御チャネル生成部
１２８  RF制御部
１３０  スピーカ・マイク
１３２  呼制御部
１３４  記憶部
２００（２００１、２００２、２００３）  基地局装置
２０２  屋外受信増幅器
２０４  RF部
２０６  送信増幅器
２０８  無線送受信部
２１０  インターフェース
２１２  ベースバンド部
２１４  インターフェース
２１６  ベースバンド処理部
２１８  下りリンク制御チャネル生成部
２２０  DRX/DTX制御部
２２２  伝送路インターフェース
２２４  呼制御部
２２６  記憶部
３００（３００１、３００２）  MME(Mobility  Management  Entity)／S-GW(Serving-Gateway)
【図１】
0005217459.tif 000002
【図２】
0005217459.tif 000003
【図３】
0005217459.tif 000004
【図４】
0005217459.tif 000005
【図５】
0005217459.tif 000006
【図６】
0005217459.tif 000007
【図７】
0005217459.tif 000008
【図８】
0005217459.tif 000009
【図９】
0005217459.tif 000010
【図１０】
0005217459.tif 000011
【図１１】
0005217459.tif 000012
【図１２】
0005217459.tif 000013
【図１３】
0005217459.tif 000014
【図１４】
0005217459.tif 000015
【図１５】
0005217459.tif 000016
【図１６】
0005217459.tif 000017